(57)【要約】【課題】浴室ユニットの天井パネル及び天井フレームを被装する天井補強枠を設け、クレーンに取り付けられたワイヤーで懸垂して、輸送、保管及び施行時に所定位置に移動する際に、天井パネルが歪むこともなく、施工が簡便でしかも安全な浴室ユニットの天井補強枠を提供するものである。【解決手段】浴室ユニットの天井補強枠Ａは、天井フレーム１ａからなる天井パネルＢ、壁フレーム１ｂからなる壁パネルＣを本体フレーム１で組み立てた箱状の浴室ユニットＤの天井パネルＢ及び天井フレーム１ａを被装するもので、この天井補強枠Ａを被装した浴室ユニットＤの本体フレーム２をクレーン３に取り付けられたワイヤー４で懸垂して所定位置に移動する浴室ユニットＤの天井補強枠Ａにおいて、縦断面略逆Ｌ字状に形成した桟材５を四角形状に固着するとともにこの桟材５の上面の四周のコーナー部に補強板６を固着して形成する。【選択図】　　　　図１
2004116049.tif 000002
【特許請求の範囲】
【請求項１】
天井パネル、壁パネルを本体フレームで組み立てた箱状の浴室ユニットの天井パネル及び天井フレームを被装する天井補強枠を設け、該天井補強枠を被装した浴室ユニットの本体フレームをクレーンに取り付けられたワイヤーで懸垂して所定位置に移動する浴室ユニットの天井補強枠において、縦断面略逆Ｌ字状に形成した桟材を四角形状に固着するとともに該桟材の上面の四周のコーナー部に補強板を固着することを特徴とする浴室ユニットの天井補強枠。
【請求項２】
上記四角形状に形成された桟材の略中央部に、浴室ユニットの天井フレームから突出する突出部に重ならないような中央補強板を設けたことを特徴とする請求項１記載の浴室ユニットの天井補強枠。
【請求項３】
上記縦断面略逆Ｌ字状に形成した桟材が木質材であることを特徴とする請求項１又は請求項２記載の浴室ユニットの天井補強枠。
【請求項４】
上記縦断面略逆Ｌ字状に形成した桟材の垂下片を金属製の天井フレームにスクリュー螺子で外方から固着することを特徴とする請求項１乃至請求項３のいずれかに記載の浴室ユニットの天井補強枠。
【発明の詳細な説明】
【０００１】
【発明の属する技術分野】
本発明は、天井パネル、壁パネルを本体フレームで組み立てた箱状の浴室ユニットをクレーンに取り付けられたワイヤーで懸垂して、輸送、保管及び施行時に所定位置に移動する際に、天井パネルが歪まないようにする浴室ユニットの天井補強枠に関するものである。
【０００２】
【従来の技術】
従来から予め工場にて家屋の大きな単位に組み立てた四角枠状の本体フレームからなる家屋ユニットを輸送や、施工する際に用いられる吊り上げ用補強ブレスは、知られている。このような、吊り上げ用補強ブレスは、本体フレームに壁体の上端部を固定するための着脱自在な固定手段が設けられ、かつクレーンの吊り上げ部材を係止するための係止部が設けられたものがある。（例えば、特許文献１参照）
【０００３】
【特許文献１】
特開平４−３５７２７５号公報（第１−２頁、第１図〜第３図）
【０００４】
さらに、図８のように、天井パネル２０、壁パネル２１を本体フレーム２２で組み立てた箱状の浴室ユニット２３の天井パネル２０の天井フレーム２４の四周の側面に矩形状の補強木２５をブチルテープなどの両面接着テープ２６で貼着して補強し、図９のようにこの浴室ユニット２３の天井パネル２０の天井フレーム２４をクレーン２７のワイヤー端２８に接続されたフック２９で吊り上げ移動させるものがある。さらに、図１０のように浴室ユニット２３の下方からワイヤー３０を上方に巻回してフック２９で吊り上げ移動するものがある。
【０００５】
しかしながら、特許文献１のように本体フレームの壁体の上端部をフックで吊り上げるようにすると、家屋ユニットの自重が吊り上げ用補強ブレスにもろにかかるので鉄製で作られ筋交いをした強度の強いものが必要であった。そのために材料を多く必要とし、さらに、吊り上げ用補強ブレスが重いので、施工手間のかかるものであった。また、図８に示した浴室ユニット２３を図９や図１０のようなワイヤー３０の掛け方をするとクレーン２７でワイヤー３０を吊った際に、天井パネル２０の天井フレーム２４を圧縮する力が働き天井フレーム２４が変形したりして最悪の場合には、浴室ユニット２３を破壊してしまうという問題があった。
【０００６】
【発明が解決しようとする課題】
本発明は上記問題点の解決を目的とするものであり、浴室ユニットの天井パネル及び天井フレームを被装する天井補強枠を設け、クレーンに取り付けられたワイヤーで懸垂して、輸送、保管及び施行時に所定位置に移動する際に、天井パネルが歪むこともなく、施工が簡便でしかも安全な浴室ユニットの天井補強枠を提供するものである。
【０００７】
【課題を解決するための手段】
本発明の請求項１記載の浴室ユニットの天井補強枠は、天井パネル、壁パネルを本体フレームで組み立てた箱状の浴室ユニットの天井パネル及び天井フレームを被装する天井補強枠を設け、該天井補強枠を被装した浴室ユニットの本体フレームをクレーンに取り付けられたワイヤーで懸垂して所定位置に移動する浴室ユニットの天井補強枠において、縦断面略逆Ｌ字状に形成した桟材を四角形状に固着するとともに該桟材の上面の四周のコーナー部に補強板を固着することを特徴とする。
【０００８】
したがって、天井補強枠によって、クレーンに取り付けられたワイヤーで懸垂して、輸送、保管及び施行時に所定位置に移動する際に、天井パネルが歪むこともなく、施工が簡便でしかも安全な補強枠である。
【０００９】
本発明の請求項２記載の浴室ユニットの天井補強枠は、請求項１記載の四角形状に形成された桟材の略中央部に、浴室ユニットの天井フレームから突出する突出部に重ならないような中央補強板を設けたことを特徴とするものである。
【００１０】
したがって、浴室ユニットの天井フレームから突出する突出部に上方から被装嵌挿するようにした天井補強枠の中央補強板が衝突することもないので、天井フレームの吊り下げ時の強度に耐えることが可能となる。
【００１１】
本発明の請求項３記載の浴室ユニットの天井補強枠は、請求項１又は請求項２記載の縦断面略逆Ｌ字状に形成した桟材が木質材であるものである。
【００１２】
したがって、浴室ユニットの天井フレームに本発明の天井補強枠を被装嵌挿して外部からビスやスクリュー釘で現場で簡単に固定できるので作業性が良好となる。
【００１３】
本発明の請求項４記載の浴室ユニットの天井補強枠は、請求項１乃至請求項３のいずれかに記載の縦断面略逆Ｌ字状に形成した桟材の垂下片を金属製の天井フレームにスクリュー螺子で外方から固着するものである。
【００１４】
したがって、スクリュー釘で浴室ユニットの外側から確実に固着できるので、作業性が良好となり、天井補強枠が外れることもない。
【００１５】
【発明の実施の形態】
図１乃至図７に示したように、本発明の実施形態に係わる浴室ユニットの天井補強枠であって、以下に説明する。
【００１６】
本発明の浴室ユニットの天井補強枠Ａは、天井フレーム１ａからなる天井パネルＢ、壁フレーム１ｂからなる壁パネルＣを本体フレーム２で組み立てた箱状の浴室ユニットＤの天井パネルＢ及び天井フレーム１ａを被装するもので、この天井補強枠Ａを被装した浴室ユニットＤの本体フレーム２をクレーン３に取り付けられたワイヤー４で懸垂して所定位置に移動する浴室ユニットＤの天井補強枠Ａにおいて、縦断面略逆Ｌ字状に形成した桟材５を四角形状に固着するとともにこの桟材５の上面の四周のコーナー部に補強板６を固着して形成するものである。
【００１７】
さらに、四角形状に形成された桟材５からなる天井補強枠Ａの略中央部に、浴室ユニットＤの天井フレーム１ａから突出する突出部７に重ならないような中央補強板８を桟材５の上面に橋架して固着している。そして、この桟材５は、木質材で形成されていて、縦断面略逆Ｌ字状に形成した桟材５の垂下片５ａを金属製の天井フレーム１ａに外側から現場で簡単にドライバーでスクリュー螺子９で固着するので、浴室ユニットＤの天井フレーム１ａに確実に固着できるので、作業性が良好となり、天井補強枠Ａが外れることもない。
【００１８】
したがって、この天井補強枠Ａによって、クレーン３に取り付けられたワイヤー４で懸垂して、輸送、保管及び施行する際に所定位置に移動しても、天井パネルＢが歪むこともなく、施工が簡便でしかも安全な補強枠である。
【００１９】
以下、本発明の一実施例に係わる図１乃至図７に基づいて詳細に説明する。
図１は、天井補強枠の斜視図、図２は、図１のＸ−Ｘ縦断面図、図３は、本発明の天井補強枠を浴室ユニットの天井フレームに被装する状態を示す分解斜視図、図４は、図３の矢印方向から見た要部の縦断面図、図５は、天井パネルの接合状態を示す縦断面図、図６は、浴室ユニットに天井補強枠を固着したものをクレーで吊り下げた状態を示す要部の概略の縦断面図、図７は、浴室ユニットに天井補強枠を固着したものをトラックで運搬する状態を示す要部の概略の縦断面図である。
【００２０】
図１及び図２において、天井補強枠Ａは、縦断面略逆Ｌ字状に形成した木質材からなる桟材５を四角形状に組んで、この桟材５の上面の四周のコーナー部に四角形状の補強板６を釘やビス、接着剤等で固着して形成するものである。
【００２１】
したがって、この補強板６がかすがいの役目をして、ワイヤー４の圧縮力に耐えるように設計されている。
【００２２】
さらに、この天井補強枠Ａの桟材５間の略中央部に、浴室ユニットＤのＬ型チャンネル等でできた天井フレーム１ａから突出する突出部７が入るような隙間１０が形成されている。この隙間１０は、２枚の中央補強板８、８を桟材５の上面に橋架して釘やビス、接着剤等で固着して形成されている。
【００２３】
このとき、図３及び図５に示したように、天井補強枠Ａの桟材５は、垂下片５ａと水平片５ｂとからなる縦断面略逆Ｌ字状に形成され、天井フレーム１ａの上方からこの桟材５の水平片５ｂが天井フレーム１ａ上に載置するようにして浴室ユニットＤの四周を被装して嵌挿できるようにすれば良いものである。また、この天井補強枠Ａの桟材５の垂下片５ａは、金属製の天井フレーム１ａの外方に配設され、この天井フレーム１ａに外側から現場で簡単にドライバーでスクリュー螺子９で固着することができるので、浴室ユニットＤの天井フレーム１ａに確実に固着できるので、作業性が良好となり、天井補強枠Ａが外れることもない。
【００２４】
このとき、天井パネルＢは、Ｌ型チャンネル等でできた天井フレーム１ａを矩形状に形成し、この天井フレーム１ａの上面にウレタン発泡樹脂、グラスウールやロックウール等の断熱板１１を接着などで固着し、この断熱板１１上に接合用の突出部７を設けた補強金属板１２が固着されている。そして、この一対の天井パネルＢ、Ｂの補強金属板１２の突出部７同士をボルトナット１３で締結する。
【００２５】
したがって、この天井パネルＢ、Ｂ同士を締結後に、この天井パネルＢ、Ｂの外側端面を被装するように外側から天井補強枠Ａの桟材５を被装させる。その後、天井補強枠Ａの桟材５の外側端と天井パネルＢの側端部とをスクリュー螺子９を電動工具で固着する。
【００２６】
このように、天井補強枠Ａを天井パネルＢを被装するように固着しているので、この天井補強枠Ａによって、図６のように、クレーン３に取り付けられたワイヤー４で浴室ユニットＤを懸垂して、輸送、保管及び施行する際に所定位置に移動しようとしても、天井パネルＢがワイヤー４の圧縮力により歪むこともないので、施工が簡便でしかも安全な補強枠である。また、図７のように、トラック１４の荷台に浴室ユニットＤの天井パネルＢを被装するように天井補強枠Ａを固着してワイヤー４で張架しても、この天井補強枠Ａによって浴室ユニットＤの天井パネルＢが歪むこともない。
【００２７】
【発明の効果】
上述の如く、本発明の請求項１記載の浴室ユニットの天井補強枠は、天井パネル、壁パネルを本体フレームで組み立てた箱状の浴室ユニットの天井パネル及び天井フレームを被装する天井補強枠を設け、この天井補強枠を被装した浴室ユニットの本体フレームをクレーンに取り付けられたワイヤーで懸垂して所定位置に移動する浴室ユニットの天井補強枠において、縦断面略逆Ｌ字状に形成した桟材を四角形状に固着するとともにこの桟材の上面の四周のコーナー部に補強板を固着することにより、クレーンに取り付けられたワイヤーで懸垂して、輸送、保管及び施行時に所定位置に移動する際に、天井パネルが歪むこともなく、施工が簡便でしかも安全な補強枠である。
【００２８】
本発明の請求項２記載の浴室ユニットの天井補強枠は、四角形状に形成された桟材の略中央部に、浴室ユニットの天井フレームから突出する突出部に重ならないような中央補強板を設けているので、浴室ユニットの天井フレームから突出する突出部に上方から確実に被装嵌挿することができ、天井補強枠の中央補強板に突出部が衝突することもないので、天井フレームの吊り下げ時の強度に耐えることが可能となる。
【００２９】
本発明の請求項３記載の浴室ユニットの天井補強枠は、縦断面略逆Ｌ字状に形成した桟材が木質材であるので、浴室ユニットの天井フレームに本発明の天井補強枠を被装嵌挿して外部からビスやスクリュー釘で現場で簡単に固定できるので作業性が良好となる。
【００３０】
本発明の請求項４記載の浴室ユニットの天井補強枠は、縦断面略逆Ｌ字状に形成した桟材の垂下片を金属製の天井フレームにスクリュー螺子で外方から固着するようにしているので、スクリュー釘で浴室ユニットの外側から確実に固着できるようになり、作業性が良好でしかも、天井補強枠が外れることもない。
【図面の簡単な説明】
【図１】本発明の一実施例に係わる天井補強枠の斜視図である。
【図２】本発明の一実施例に係わる図１の拡大したＸ−Ｘ縦断面図である。
【図３】本発明の一実施例に係わる天井補強枠を浴室ユニットの天井フレームに被装する状態を示す分解斜視図である。
【図４】本発明の一実施例に係わる図３の矢印方向から見た要部の縦断面図である。
【図５】本発明の一実施例に係わる天井パネルの接合状態を示す縦断面図である。
【図６】本発明の浴室ユニットに天井補強枠を固着したものをクレーで吊り下げた状態を示す要部の概略の縦断面図である。
【図７】浴室ユニットに天井補強枠を固着したものをトラックで運搬する状態を示す要部の概略の縦断面図である。
【図８】従来の浴室ユニットに天井補強枠を固着したものの斜視図である。
【図９】従来の浴室ユニットの下面からワイヤーを通して、ワイヤーの上部を懸垂した状態を示す要部の縦断面図である。
【図１０】従来の浴室ユニットの天井パネルにワイヤーを通して、ワイヤーの上部を懸垂した状態を示す要部の縦断面図である。
【符号の説明】
Ａ　　　天井補強枠
Ｂ　　　天井パネル
Ｃ　　　壁パネル
Ｄ　　　浴室ユニット
１ａ　　天井フレーム
２　　　本体フレーム
３　　　クレーン
４　　　ワイヤー
５　　　桟材
６　　　補強板
７　　　突出部
８　　　中央補強板
９　　　スクリュー螺子
１０　　隙間
１１　　断熱板
１２　　補強金属板
１３　　ボルトナット
【図１】
2004116049.tif 000003
【図２】
2004116049.tif 000004
【図３】
2004116049.tif 000005
【図４】
2004116049.tif 000006
【図５】
2004116049.tif 000007
【図６】
2004116049.tif 000008
【図７】
2004116049.tif 000009
【図８】
2004116049.tif 000010
【図９】
2004116049.tif 000011
【図１０】
2004116049.tif 000012